(57)【要約】【課題】基材の材質を問わず、低コストでの小ロット生産が可能であり、可変情報を表示する表示領域を所望位置に形成でき、さらに該表示領域に表示される可変情報の変更に容易に対応し得る箔押し帳票を提供する。【解決手段】帳票基材２の所要面部３に、サーマルヘッドの熱印可により溶融して可変情報１４を表示可能な箔層４からなる表示領域５を、箔押し加工によって形成した。【選択図】    図４
2004216576.tif 000002
【特許請求の範囲】
【請求項１】
帳票基材の所要面部に、サーマルヘッドの熱印可により溶融して可変情報を表示可能な箔層からなる表示領域を、箔押し加工によって形成したことを特徴とする箔押し帳票。
【請求項２】
箔層を構成する箔が、厚さ０．０１〜０．１５μｍの錫単体または錫と低融点金属との合金からなる箔であることを特徴とする請求項１に記載した箔押し帳票。
【請求項３】
真空蒸着により形成された錫層を担持フィルム上に備えてなる熱転写箔を、担持フィルム側からエリアパターン版で押し加工することにより、帳票基材の所要面部に錫層を転着してなる箔押し加工によって、可変情報を表示可能な箔層からなる表示領域を形成したことを特徴とする請求項１又は請求項２に記載した箔押し帳票。
【請求項４】
箔層の下部に着色層を形成したことを特徴とする請求項１乃至請求項３の何れかに記載した箔押し帳票。
【発明の詳細な説明】
【０００１】
【発明の属する技術分野】
本発明は、可変情報を表示可能な箔層からなる印字領域を備えた箔押し帳票に関する。
【０００２】
【従来の技術】
各種カードやチケット類或いは有価証券等の帳票の偽造防止を図ることを目的として、帳票面に金属薄膜層を設け、該金属薄膜層をサーマルヘッド或いはレーザービーム等の発熱素子で溶融して、文字、図柄，コード等の可変情報を表示する情報表示手段が知られている。また、紙基材内に前記金属薄膜層を備えた情報記録媒体を抄き入れした印刷用紙も提案されている（特許文献１参照）。
【０００３】
一方、帳票の意匠性を向上させることを目的として、文字や図柄を箔押しすることが知られている。かかる箔押しは、紙面等の箔押ししようとする基材面に、接着層を下面に備えた熱転写箔を載置し、文字や図柄の形状で突出した押圧凸面を備えた箔押し版によって前記熱転写箔を加熱しながら加圧することにより、基材面上に接着層を介して熱転写箔を文字や図柄通りに接合するものである。
【０００４】
【特許文献１】
特開平１０−１０２３９８号公報
【０００５】
【発明が解決しようとする課題】
ところで、上記のような各種カードやチケット等の帳票面に設けられる金属薄膜層は、真空蒸着やスパッタリング等の形成手段により形成されるため、小ロット生産ではコスト高となり、また、帳票面に対して部分的に金属薄膜層を設けることが極めて困難であった。また、特許文献１に開示されているもののように、紙基材内に金属薄膜層を備えた情報記録媒体を抄き入れした印刷用紙にあっては、コストが高く、抄紙方法により製造されるため基材の材質が紙に限定され、さらに、部分的に金属薄膜層を設けることは可能ではあるが、抄紙時に抄き入れ位置及び形状が設定されるため、印刷メーカーがかかる印刷用紙を購入して印刷加工を行う場合に、金属薄膜層の位置び形状を変更することができず、印刷デザインに制限を受けるという問題点があった。
【０００６】
一方、箔押しにあっては、箔押しされる箔面に無箔部を設け、該無箔部によって可変情報やデザイン図柄を表示するようにしているのであるが、該可変情報やデザイン図柄を変更する場合には、その都度、箔押し版を製作しなければならないため、製作費が高く、時間と手間を要するという問題点があった。
【０００７】
本発明は、基材の材質を問わず、低コストでの小ロット生産が可能であり、可変情報を表示する表示領域を所望位置に形成でき、さらに該表示領域に表示される可変情報の変更に容易に対応し得る箔押し帳票の提供を目的とするものである。
【０００８】
【課題を解決するための手段】
本発明は、帳票基材の所要面部に、サーマルヘッドの熱印可により溶融して可変情報を表示可能な箔層からなる表示領域を、箔押し加工によって形成したことを特徴とする箔押し帳票である。
【０００９】
かかる構成にあって、箔層からなる表示領域を箔押し加工によって形成することにより、該表示領域を帳票基材の所望位置に簡単に設けることができる。これにより、低コストでの小ロット生産が可能となるとともに、紙，合成紙，合成樹脂等の箔押し加工が可能な基材を、帳票の基材として任意に用いることができる。また、表示領域を構成する箔層をサーマルヘッドの熱印可により溶融して可変情報が表示できるので、該表示領域に表示する可変情報を容易に変更することができる。そして、このように、帳票基材の所要面部に形成した箔層により、帳票の意匠性を向上させ得るとともに、該箔層を溶融して表示される可変情報によって、帳票に偽造防止作用を付与し得るものとなる。
【００１０】
上記のような箔層を構成する箔を、厚さ０．０１〜０．１５μｍの錫単体または錫と低融点金属との合金からなる箔とする構成が提案される。このような箔によって箔層を構成することにより、サーマルヘッドによって文字等の所要形状の熱印可を行うと、加熱された部分が瞬時に溶融して除去され、可変情報を明瞭に表示させることができる。
【００１１】
また、真空蒸着により形成された錫層を担持フィルム上に備えてなる熱転写箔を、担持フィルム側からエリアパターン版で押し加工することにより、帳票基材の所要面部に錫層を転着してなる箔押し加工によって、可変情報を表示可能な箔層からなる表示領域を形成する構成が提案される。ここで、エリアパターン版は、箔押し加工により形成される表示領域と同一形状の押圧凸面を備えた箔押し版であって、帳票基材の所要面に部分的な任意形状の箔押し加工を施し得るものである。そして、このようなエリアパターン版を用いて、熱転写箔の錫層を帳票基材の所要面部に転着することにより、サーマルヘッドの熱印可により溶融する箔層を極めて容易に形成することができる。
【００１２】
また、上記箔層の下部に着色層を形成するようにしてもよい。この着色層は、熱転写箔を箔押しする帳票基材の所要面部に、箔層と顕著に相違する色の単色印刷または多色印刷によって予め形成することができる。このように、箔層の下部に着色層を形成しておけば、サーマルヘッドの熱印可によって、箔層が文字等の所要形状で溶融して除去された時に、その除去部分に着色層が表出するため、可変情報の視認性を向上させることができる。また、該着色層をベタ，網，線，絵，文字，数字，模様等の表示形態によって形成しておくことにより、除去部分に表出する着色層の表示形態，色，コントラストによって可変情報及び箔押し帳票全体のデザイン性を向上させることができる。
【００１３】
【発明の実施の形態】
以下に、本発明の第一実施例を、図１〜図４に基づいて説明する。
この実施例における箔押し帳票１は、図１（イ），（ロ）に示すように、帳票基材２の所要面部３に箔層４からなる表示領域５が、箔押し加工によって形成されている。ここで、前記所要面部３は帳票基材２の表面部または裏面部とすることができる。また、該帳票基材２は、箔押し加工が可能であれば、紙，合成紙，合成樹脂等の任意の基材が用いられ得る。これらの基材は箔押し加工後に所定の帳票形状に切断したり、或いは、所定の帳票形状に切断した基材に対して箔押し加工を施してもよい。
【００１４】
前記箔層４は、サーマルヘッドの熱印可により溶融して可変情報１４（図４参照）を表示するものであり、錫単体または錫と低融点金属との合金からなる箔によって構成されている。ここで、錫との合金として用いられる低融点金属としては、亜鉛，ビスマス，インジウム，テルル，鉛等の金属が挙げられる。また、箔層４を構成する箔の厚さは０．０１〜０．１５μｍ程度であり、サーマルヘッドによる１５０〜３００℃程度の熱印可で瞬時に溶融させ得るようになっている。
【００１５】
上記のような箔層４からなる表示領域５を形成するための箔押し加工には、熱転写箔６が用いられる。該熱転写箔６は、図２に示すように、担持フィルム７上に、離型層８，着色層９，錫層１０，接着層１１が順に積層されてなるものであって、錫層１０は、錫または錫と低融点金属との合金を真空蒸着によって薄膜状に蒸着することにより形成されている。また、着色層９は、箔層４を構成する箔の色を表現するためのものであって、例えば金色の箔の場合には、黄色の染料或いは顔料を含有するコーティング層を施すことにより、シルバーメタリック色の錫層１０が黄色のコーティング層と重なり合って金色に見えるようになる。従って、着色層９の色を適宜選択することにより、金，銀，赤，緑，青，白等の様々な金属光沢を有する箔を作ることができる。また、離型層８は、箔押し時の熱により活性化する極めて薄い層であり、着色層９，錫層１０，接着層１１からなる積層体を箔押し時に担持フィルム７から離れ易くするために設けられている。
【００１６】
そして、図３に示すように、箔押ししようとする形状で突出した平滑な押圧凸面１３を備えたエリアパターン版１２によって、帳票基材２の所要面部３に、熱転写箔６を担持フィルム７側から加熱しながら押し加工する箔押し加工を施すことにより、着色層９を備えた錫層１０が接着層１１の接着力を介して帳票基材２の所要面部３に転着されることとなり、これによって、可変情報１４（図４参照）を表示可能な箔層４からなる表示領域５がエリアパターン版１２の押圧凸面１３と同一形状で形成される。
【００１７】
そして、上記のように形成した表示領域５に対して、サーマルヘッドによって文字等の所要形状の熱印可を行うことにより、箔層４の加熱された部分が瞬時に溶融して除去され、図４（イ），（ロ）に示すように、可変情報１４を明瞭に表示させることができる。
【００１８】
かかる構成からなる箔押し帳票１にあっては、サーマルヘッドの熱印可により溶融して可変情報１４を表示する箔層４からなる表示領域５を、帳票基材２の所望位置に形成することができ、さらに該表示領域５に表示される可変情報１４の変更に容易に対応し得るものとなる。また、箔押し加工によって箔層４からなる表示領域５を形成するので、帳票基材２の材質が紙に限定されることがなく、さらに低コストでの小ロット生産が可能となる。
【００１９】
図５（イ），（ロ）は第二実施例を示し、この実施例は、上記箔層４の下部に着色層１５を形成したものである。該着色層１５は、上述した熱転写箔６を箔押しする前の帳票基材２の所要面部３に、印刷によって予め形成されるものであって、ベタ，網，線，絵，文字，数字，模様等の表示形態によって箔層４と顕著に異なる色で単色印刷または多色印刷される。このような着色層１５を箔層４の下部に形成しておくことにより、サーマルヘッドの熱印可によって、箔層４が文字等の所要形状で溶融して除去された時に、その除去部分に着色層１５が表出するため、可変情報１４の視認性を向上させることができる。また、除去部分に表出する着色層１５の表示形態，色，コントラストによって可変情報１４及び箔押し帳票１全体のデザイン性が向上する。
【００２０】
【発明の効果】
本発明は、上述したように、帳票基材の所要面部に、サーマルヘッドの熱印可により溶融して可変情報を表示可能な箔層からなる表示領域を、箔押し加工によって形成したから、該表示領域を帳票基材の所望位置に簡単に設けることができる。これにより、低コストでの小ロット生産が可能となるとともに、紙，合成紙，合成樹脂等の箔押し加工が可能な基材を、帳票の基材として任意に用いることができる。また、表示領域を構成する箔層をサーマルヘッドの熱印可により溶融することによって可変情報が表示できるので、従来の箔押しのように、可変情報やデザイン図柄を変更する度に、箔押し版を製作する必要がなく、該表示領域に表示する可変情報の変更に容易に対応することができる。そして、このように、帳票基材の所要面部に形成した箔層により、帳票の意匠性を向上させ得るとともに、該箔層を溶融して表示される可変情報によって、帳票に偽造防止作用を付与することができる。
【００２１】
上記のような箔層を構成する箔を、厚さ０．０１〜０．１５μｍの錫単体または錫と低融点金属との合金からなる箔とすることにより、サーマルヘッドによって文字等の所要形状の熱印可を行うと、箔層の加熱された部分が瞬時に溶融して除去され、表示領域に可変情報を明瞭に表示させることができる。
【００２２】
また、真空蒸着により形成された錫層を担持フィルム上に備えてなる熱転写箔を、担持フィルム側からエリアパターン版で押し加工することにより、帳票基材の所要面部に錫層を転着してなる箔押し加工によって、可変情報を表示可能な箔層からなる表示領域を形成するようにしたことにより、箔押し加工により形成される表示領域と同一形状の押圧凸面を備えたエリアパターン版を用いて、熱転写箔の錫層を帳票基材の所要面部に転着することにより、サーマルヘッドの熱印可により溶融する箔層を極めて容易に形成することができる。
【００２３】
また、上記箔層の下部に着色層を形成する構成にあっては、サーマルヘッドの熱印可によって、箔層が文字等の所要形状で溶融して除去された時に、その除去部分に着色層が表出するため、可変情報の視認性を向上させることができるとともに、デザイン性も向上し得るものとなる。
【図面の簡単な説明】
【図１】本発明の第一実施例にかかる箔押し帳票を示し、（イ）は平面図、（ロ）は縦断面図である。
【図２】熱転写箔の構成を示す縦断面図である。
【図３】箔押し加工の説明図である。
【図４】（イ）は可変情報を表示した状態を示す箔押し帳票の平面図、（ロ）はその縦断面図である。
【図５】第二実施例にかかる箔押し帳票を示し、（イ）は可変情報を表示した状態の平面図、（ロ）はその縦断面図である。
【符号の説明】
１  箔押し帳票
２  帳票基材
３  所要面部
４  箔層
５  表示領域
６  熱転写箔
７  担持フィルム
１０  錫層
１２  エリアパターン版
１４  可変情報
１５  着色層
【図１】
2004216576.tif 000003
【図２】
2004216576.tif 000004
【図３】
2004216576.tif 000005
【図４】
2004216576.tif 000006
【図５】
2004216576.tif 000007